(57)【要約】【課題】棟部全体の固定性が高くなり、耐震性や強風等の外力に対しての強度が高くなる棟瓦の固定構造を提供することを課題としている。【解決手段】棟部１の中心上に棟方向に沿う受け具７を取付け、該受け具７内に棟芯材１１を収容して支持し、該棟芯材１１の上側に複数段ののし瓦２を重ねて載置するととともに、該複数段ののし瓦２を上下に貫くねじ杆１３によりのし瓦２を棟芯材１１側に締着固定する棟瓦の固定構造において、上記受け具７を上部が開放された耐久性を備えた材質で溝状断面とし、該受け具７の内部の棟芯材１１の上面を覆い耐久性のある受け具カバー１２を受け具７に固定して設け、前記ねじ杆１３によりのし瓦２を受け具カバー１２に対して締着固定する。【選択図】図１
2014066062.tif 000002
【特許請求の範囲】
【請求項１】
棟部（１）の中心上に棟方向に沿う受け具（７）を取付け、該受け具（７）内に棟芯材（１１）を収容して支持し、該棟芯材（１１）の上側に複数段ののし瓦（２）を重ねて載置するととともに、該複数段ののし瓦（２）を上下に貫くねじ杆（１３）によりのし瓦（２）を棟芯材（１１）側に締着固定する棟瓦の固定構造において、上記受け具（７）を上部が開放された耐久性を備えた材質で溝状断面とし、該受け具（７）の内部の棟芯材（１１）の上面を覆い耐久性のある受け具カバー（１２）を受け具（７）に固定して設け、前記ねじ杆（１３）によりのし瓦（２）を受け具カバー（１２）に対して締着固定する棟瓦の固定構造。
【請求項２】
ねじ杆（１３）の先端と受け具（７）側にボルト部（１３ａ）とナット部（２３）のいずれかを設け、該ボルト部（１３ａ）とナット部（２３）をねじ接合することによりのし瓦（２）を締着固定する請求項１の棟瓦の固定構造。
【請求項３】
ねじ杆（１３）の先端にボルト部（１３ａ）を設け、受け具（７）側にナット部（２３）を設けた請求項２の棟瓦の固定構造。
【請求項４】
受け具（７）の断面を上部が開放されたチャネル状断面とし、受け具カバー（１２）の断面を下部が開放されたチャネル状断面として、受け具（７）と受け具カバー（１２）の両側壁（７ａ，１２ａ）が互いに重なり合うように受け具（７）と受け具カバー（１２）が筒状断面を形成して嵌合し合う構造とし、重なり合った両側壁（７ａ，１２ａ）を上下方向に係止又は固定する請求項１〜３のいずれかに記載の棟瓦の固定構造。
【請求項５】
筒状断面の両側壁（７ａ，１２ａ）の外側に面戸補強部材（１６）を設け、該面戸補強部材（１６）と両側壁（７ａ，１２ａ）を貫く釘（３２）又はビスによって面戸補強部材（１６）を両側壁（７ａ，１２ａ）に取付け固定するとともに、受け具（７）と受け具カバー（１２）とを一体固定する請求項４の棟瓦の固定構造。
【請求項６】
重ね合わされるのし瓦（２）同士の間に接着剤（２９）を塗布又は充填し、複数枚ののし瓦（２）を一体的に固定してなる請求項１〜５のいずれかに記載の棟瓦の固定構造。
【請求項７】
接着により重ね合わされるのし瓦（２）相互間の隙間及びねじ杆（１３）とねじ杆（１３）を挿通するのし瓦（２）側の挿通孔（１８）との間の隙間とをシールする請求項１〜６のいずれかに記載の棟瓦の固定構造。
【請求項８】
受け具カバー（１２）と棟芯材（１１）上面との間を接着剤（２２）により接着した請求項１〜７のいずれかに記載の棟瓦の固定構造。
【発明の詳細な説明】
【技術分野】
【０００１】
本発明は、瓦屋根における棟瓦の固定構造に関する。
【背景技術】
【０００２】
従来瓦屋根の棟構造として棟部に沿って固定的に支持される棟芯材の上下に複数枚ののし瓦を積み重ね、積み重ねたのし瓦をその中心を貫通する長寸の木ねじで棟芯材に定着固定する構造が公知である（例えば、特許文献１，２参照。）。
【先行技術文献】
【特許文献】
【０００３】
【特許文献１】特許第３３７６５１７号（図１５）
【特許文献２】特開２００６ー７０５６２号（図１）
【発明の概要】
【発明が解決しようとする課題】
【０００４】
上記特許文献１、２ののし瓦の固定は、複数枚に重ねられたのし瓦を、その下部の木材又は軽量のプラスチック材からなる棟芯材に木ねじ（ねじ釘）で締着させるため、地震や強風等によって棟部に強い振動や外力が作用した場合、木ねじがねじ込まれている芯材が軟弱なために、のし瓦の固定が崩れる懸念がある。また、この問題を改善するためには、多数の木ねじで締付ける必要があるので、工数的にも材料費の面でもコスト高になる欠点がある。
【課題を解決するための手段】
【０００５】
上記課題を解決するため本発明の棟瓦の固定構造は、第１に棟部１の中心上に棟方向に沿う受け具７を取付け、該受け具７内に棟芯材１１を収容して支持し、該棟芯材１１の上側に複数段ののし瓦２を重ねて載置するととともに、該複数段ののし瓦２を上下に貫くねじ杆１３によりのし瓦２を棟芯材１１側に締着固定する棟瓦の固定構造において、上記受け具７を上部が開放された耐久性を備えた材質で溝状断面とし、該受け具７の内部の棟芯材１１の上面を覆い耐久性のある受け具カバー１２を受け具７に固定して設け、前記ねじ杆１３によりのし瓦２を受け具カバー１２に対して締着固定することを特徴とする。
【０００６】
第２に、ねじ杆１３の先端と受け具７側にボルト部１３ａとナット部２３のいずれかを設け、該ボルト部１３ａとナット部２３をねじ接合することによりのし瓦２を締着固定することを特徴とする。
【０００７】
第３に、ねじ杆１３の先端にボルト部１３ａを設け、受け具７側にナット部２３を設けたことを特徴とする。
【０００８】
第４に、受け具７の断面を上部が開放されたチャネル状断面とし、受け具カバー１２の断面を下部が開放されたチャネル状断面として、受け具７と受け具カバー１２の両側壁７ａ，１２ａが互いに重なり合うように受け具７と受け具カバー１２が筒状断面を形成して嵌合し合う構造とし、重なり合った両側壁７ａ，１２ａを上下方向に係止又は固定することを特徴とする。
【０００９】
第５に、筒状断面の両側壁７ａ，１２ａの外側に面戸補強部材１６を設け、該面戸補強部材１６と両側壁７ａ，１２ａを貫く釘３２又はビスによって面戸補強部材１６を両側壁７ａ，１２ａに取付け固定するとともに、受け具７と受け具カバー１２とを一体固定することを特徴とする。
【００１０】
第６に、重ね合わされるのし瓦２同士の間に接着剤２９を塗布又は充填し、複数枚ののし瓦２を一体的に固定してなることを特徴とする。
【００１１】
第７に、接着により重ね合わされるのし瓦２相互間の隙間及びねじ杆１３とねじ杆１３を挿通するのし瓦２側の挿通孔１８との間の隙間とをシールすることを特徴とする。
【００１２】
第８に、受け具カバー１２と棟芯材１１上面との間を接着剤２２により接着したことを特徴とする。
【発明の効果】
【００１３】
上記のように構成される本発明は以下のような作用効果を奏する。
受け具と一体的に固定された耐久性のある受け具カバーに対して複数枚に重ねられたのし瓦が締着固定されるので、軟質な棟芯材に対して締着されるものに比して、棟部全体の固定性が高くなり、耐震性や強風等の外力に対しての強度が高くなる。また重ね合わされた瓦同士を接着剤によって一体固定することにより、上記強度はさらに高くなる。
【００１４】
上記締着は、ボルトとナットによって行われるので、棟芯材に直接タッピングする木ねじ等で締着する場合に比して、棟芯材の欠損等による固定外れや緩みの発生が防止できるほか、ボルト径を大きくすることも可能なので強度アップが図り易い。
【００１５】
受け具と受け具カバーとが左右両側壁において筒状に一体固定され、これに対して瓦を締着するので、棟部の高い固定力が得られる。また受け具と受け具カバーの両側壁は釘又はビス等によって左右方向から固定できるので簡単な作業や構造による強い固定力が得られ、面戸補強部材等の固定機構と兼用できる。
【００１６】
ねじ杆とねじ杆挿通用の孔との間を接着剤により一体化して塞ぐので、棟部の固定性を高めることができるとともに、防水性も高まる。
【００１７】
受け具カバーと棟芯材を接着固定することにより、棟芯材と受け具及び受け具カバーとの一体性が向上し、棟芯材のガタもなくなるためにのし瓦の安定的な固定力が保たれる。
【図面の簡単な説明】
【００１８】
【図１】本発明の固定構造を示す分解正面図である。
【図２】本発明の固定構造を示す組立状態の断面図である。
【図３】本発明の固定構造を示す一部断面斜視図である。
【発明を実施するための形態】
【００１９】
図１〜図３は、本発明の固定構造を示す分解正面図、組立状態の断面図及び一部断面斜視図である。これらの図面では、屋根の棟部１に設けられたのし瓦２や冠瓦３等の棟瓦を、該棟部１に取付固定する棟瓦の固定構造の一例を示している。具体的には、断面視山形に形成された屋根下地材（のじ板）４の傾斜した上面側に多数の浅瓦６が敷設され、この屋根下地材４の逆Ｖ字状断面の頂部側（棟部１側）には、のし瓦２及び冠瓦３が取付け固定されている。
【００２０】
こののし瓦２及び冠瓦３の固定構造について説明すると、平面視で棟部１の幅方向中心に位置し且つ棟部１の全長方向（棟方向）に形成された断面視Ｕ字状の受け具７と、受け具７の下面側を支持する上下方向の支持ボルト８と、支持ボルト８の下端を屋根下地材４の頂部に支持固定する取付金具９と、受け具７内に軸方向の一部又は全部が収容支持されて棟方向に延びる棟芯材１１と、受け具７内に収容された棟芯材１１の上面を覆うように受け具７に取付けられた断面視逆Ｕ字状の受け具カバー１２と、受け具カバー１２の上面から真上側に突出する上下方向のねじ杆１３と、棟芯材１１の真上側に位置して該棟芯材１１に対して平行に延びる押え材１４と、受け具７の左右の各側壁７ａ，７ａの外面側に設けられた面戸補強部材１６とを備え、これらの部材によって冠瓦３及びのし瓦２が棟芯材１１（屋根下地材４側）に固定される。
【００２１】
上記のし瓦２は、積層された状態で、受け具７側に取付け固定され、この内、受け具カバー１２の上面に直接的に積み重ねられる複数ののし瓦２が大のし瓦２Ａであり、この大のし瓦２Ａの上に積層される複数ののし瓦２が小のし瓦２Ｂであり、上記大のし瓦２Ａの直下且つ受け具７の側壁７ａの外側側方に位置するのし瓦２が補助のし瓦２Ｃである。
【００２２】
大のし瓦２Ａ及び小のし瓦２Ｂは、棟部１の幅方向中心から両側方に向かってそれぞれ下方に湾曲した断面視円弧状に形成され、大のし瓦２Ａは、小のし瓦２Ｂよりも大きな左右幅を有している。一対の補助のし瓦２Ｃは、それぞれ棟芯材１１から遠ざかる方向に向かって下方湾曲した形状を有している。
【００２３】
積み上げた複数（図示する例では２つ）の大のし瓦２Ａの上に、小のし瓦２Ｂを複数（図示する例では３つ）積み上げて瓦ユニット１７を構成している。この瓦ユニット１７を構成する各のし瓦２の中央部には挿通孔１８が穿設され、のし瓦２を、互いの中央部分を一致させて上下方向に積み重ねることにより、のし瓦２の挿通孔１８が上下方向に一直線状に並んで、瓦ユニット１７の中央を上下方向に貫く固定孔１７ａが形成される。
【００２４】
上記冠瓦３は、幅方向中央部が盛り上がった半円弧状の断面形状を有して、棟方向に延びている。この冠瓦３を、瓦ユニット１７の上端面側に位置させた状態で、棟方向に直線状に並列配置している。ちなみに、隣接する冠瓦３の円弧状の端部同士における一方の端部は、他方の端部に比べて小径に形成され、該他方の端部の内周側に上記一方の端部の外周側を挿入させて該端部同士を接続している。この接続構造によって、該接続部分からの浸水が防止される。
【００２５】
上記取付金具９は、屋根下地材４の逆Ｖ字状の断面に沿う一対の板状の傾斜部と、この二股状に延出された一対の傾斜部同士を頂部側で一体的に接続する下方開放されたチャネル状の接続部とを一体的に有している。この一対の傾斜部を、屋根下地材４の一対の傾斜面にそれぞれビス止め等により取付けることにより、この取付金具９が屋根下地材４に強固に固着される。
【００２６】
上記支持ボルト８は、取付金具９の上記接続部の上面側から上方突出した状態で、取付金具９に固定されている。ちなみに、取付金具９は、屋根下地材４の頂部に位置して、棟方向に沿って所定間隔毎に複数並列され、この各取付金具９に支持ボルト８が固定されている。
【００２７】
上記受け具７は、上部が開放されて棟方向に延びるチャネル状に形成されるとともに、金属または硬質補強プラスチック等によって構成されている。この受け具７は支持ボルト８によって下面側から下支え固定されている。言換えると、受け具７は、上部が開放された溝状断面を有し、金属または硬質補強プラスチック等によって所定以上の耐久性を備えている。
【００２８】
上記棟芯材１１は、方形断面を有して棟方向に延びるプラスチック材であり、この棟芯材１１は、受け具７内に嵌合収容されている。この棟芯材１１の両側面と受け具７の側壁７ａとの間に棟方向に延びる溝状の隙間１９が形成されるように棟芯材１１の中途部及び上部側の左右幅が一対の側壁７ａ，７ａ間の距離よりも短く形成されている。ちなみに、棟芯材１１を構成するプラスチックとしては、プラスチック廃材を再生した軽量プラスチックを用い、この棟芯材１１内には、補強用アルミ材２１が一体的に埋設され、この補強用アルミ材２１によって棟芯材１１の強度を向上させている。
【００２９】
上記受け具カバーは１２、下部が開放されて棟方向に延びるチャネル状部材であるとともに、金属または硬質補強プラスチック等によって構成され、所定以上の耐久性を有している。この受け具カバー１２と上記受け具７の両側壁１２ａ，７ａが互いに重なり合って相互に嵌合して高強度の筒状断面が形成される。
【００３０】
具体的には、受け具カバー１２の両側壁１２ａを、上述した溝状の一対の隙間１９にそれぞれスライドさせて挿入することにより、受け具カバー１２の側壁１２ａ外面が、受け具７の側壁７ａ内面に接当または近接して、受け具カバー１２が、受け具７内に嵌合収容される。この状態では、棟芯材１１の上面側が受け具カバー１２によって覆われ、この受け具カバー１２の内面と棟芯材１１の上面とは、棟芯材１１の上面に予め塗布された接着剤２２によって接着される。
【００３１】
上記ねじ杆１３の下端部（基端部）と、受け具７側（具体的には受け具カバー１２の上面）との何れか一方にナット部２３を設けるとともに、他方にボルト部１３ａを設け、ナット部２３にボルト部１３ａをねじ接合することにより、受け具７側（具体的には、受け具カバー１２の上面）にねじ杆１３の下端部を着脱可能にボルト固定している。
【００３２】
図示する例では、受け具カバー１２の上面側にナットを溶接して固定することにより、ナット部２３を形成するとともに、ねじ杆１３の下端部の外周にねじを形成してボルト部１３ａを形成し、このボルト部１３ａの上方近傍には、ねじ杆１３のナット部２３への所定量以上の挿入を規制する規制リング２４が取付固定されている。また、ねじ杆１３の上端部（先端部）にも、ねじからなるボルト部１３ｂが形成されている。
【００３３】
上記押え材１４は、プラスチック材を再生した軽量プラスチック材から構成され、内部に補強用アルミ材２６が埋設されている。この押え材１４は、方形状断面を有して棟方向に形成されて上述した瓦ユニット１７の上面の幅方向中央側に位置決め載置される。
【００３４】
そして、上述したねじ杆１３は、前記瓦ユニット１７の固定孔１７ａに挿通されるとともに、押え材１４を上下方向に貫通し、ねじ杆１３の上端側が押え材１４の上面から上方に突出した状態になる。このねじ杆１３の上方突出部分に、ナット２７をネジ係合させて締付けることにより、複数段ののし瓦２からなる瓦ユニット１７が棟芯材１１の上面側に載置状態で締着固定される。ちなみに、ナット２７と押え材１４との間には、緩み防止用のワッシャ２８が介在している。
【００３５】
なお、瓦ユニット１７において、重ね合わされるのし瓦２同士の間には接着剤２９が塗布または充填によって介挿され、この状態で、のし瓦２を積層すると、のし瓦２同士が互いに接着固定されて全体が一体的に固定される他、のし瓦２の挿通孔１８とねじ杆１３との間の隙間やのし瓦２同士の間に形成された隙間がこの接着剤２９によってシールされて防水機能が向上する。ちなみに、この接着剤２９の主成分は発泡ウレタンからなる。
【００３６】
また、押え材１４は、瓦ユニット１７の上端面に載置された冠瓦３の直下に位置し、この冠瓦３が該冠瓦３上面から下方にねじ込まれる止めビス３１によって、押え材１４に固定される。ちなみに、止めビス３１と、ねじ杆１３は、棟方向において互い違いに配されている。
【００３７】
上記面戸補強部材１６は、受け具７から遠ざかる方向及び上方に突出したアングル状断面を有して棟方向に形成されたＬ字形ウィングであり、プラスチック廃材を再生した軽量プラスチック材によって構成されている。この左右一対の各面戸補強部材１６は、該面戸補強部材１６、受け具７の側壁７ａ及び受け具カバー１２の側壁１２ａを貫く釘３２又はビス（図示する例では釘）によって、該側壁７ａに取付け固定される。しかも、この釘３２又はビスの挿入によって、受け具７に嵌合された受け具カバー１２及び受け具７に収容された棟芯材１１も一体的に受け具７に固定される。
【００３８】
このようにして、受け具７から両側方にそれぞれ延びる一対の面度補強部材１６の上面には、補助のし瓦２Ｃの左右内側端部が載置された状態で固定される。具体的には、下方斜め内側に傾斜させたねじ釘３３を、補助のし瓦２Ｃ及び面戸補強部材１６にねじ込み挿入することにより、補強のし瓦２Ｃが面戸補強部材１６に取付け固定される。この補助のし瓦２Ｃの左右内側端寄りの上面には、シリコンボンドからなる接着剤３４が塗布され、この接着剤３４によって、組立状態時に補助のし瓦２Ｃと瓦ユニット１７とが補助的に接着固定される。
【００３９】
また、この面戸補強部材１６の下面には、複数の柱状の防水芯材３６が設けられている。詳しく説明すると、防水芯材３６は、下向きの櫛の歯状に形成されたプラスチック製スポンジ材によって本体側が構成され、上端部に棟方向に延びる差込板３７が固着されている。一方、面戸補強部材１６の下面には、差込板３７を、棟方向からスライド挿入する差込溝１６ａが凹設されている。そして、差込板３７を差込溝１６ａに差込むことにより、櫛の歯状に棟方向に延びる防水芯材３６が面戸補強部材１６の下面側に配設される。
【００４０】
組立状態では、防水芯材３６の下端面が近接する浅瓦６の上面に接当して、全体が弾性的に湾曲変形した状態になり、この防水芯材３６の周りにウレタンフォーム３８を吹付け又は充填塗装等によって表面及び櫛の歯状の隙間に表装施工し、このウレタンフォーム３８の外面にモルタル又はしっくい等の表面仕上材３９をコーティングして、面戸部４１を形成している。この両側の面戸部４１によって、受け具７側の両側方がカバーされて浸水が確実に防止される。
【００４１】
ちなみに、棟芯材１１は棟方向に形成されているが、棟芯材１１の長手方向一部を収容するサイズに形成された受け具７を、棟方向に複数並列配置してもよいし、或いは、棟芯材１１全体又は大部分が収容可能なサイズに受け具７を形成してもよい。図示する例は、前者の例になる。
【符号の説明】
【００４２】
１  棟部
２  のし瓦（棟瓦）
７  受け具
７ａ  側壁
１１  棟芯材
１２  受け具カバー
１２ａ  側壁
１３  ねじ杆（ボルト）
１３ａ  ボルト部（ねじ）
１６  面戸補強部材
１８  挿通孔
２２  接着剤
２３  ナット部（ナット）
２９  接着剤
３２  釘
【図１】
2014066062.tif 000003
【図２】
2014066062.tif 000004
【図３】
2014066062.tif 000005
【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
棟部（１）の中心上に棟方向に沿う受け具（７）を取付け、該受け具（７）内に棟芯材（１１）を収容して支持し、該棟芯材（１１）の上側に複数段ののし瓦（２）を重ねて載置するととともに、該複数段ののし瓦（２）を上下に貫くねじ杆（１３）によりのし瓦（２）を棟芯材（１１）側に締着固定する棟瓦の固定構造において、上記受け具（７）を上部が開放された耐久性を備えた材質で溝状断面とし、前記棟芯材（１１）の上面を覆う受け具カバー（１２）を、金属または硬質補強プラスチックによって構成し、該受け具カバー（１２）を、前記棟芯材（１１）に固定することにより、該受け具カバー（１２）を受け具（７）に対して固定し、前記ねじ杆（１３）の下端部を受け具カバー（１２）の上面に固定することにより、のし瓦（２）を受け具カバー（１２）に対して締着固定する棟瓦の固定構造。
【請求項２】
前記受け具（７）を、棟芯材（１１）の長手方向の一部が収容されるサイズに形成し、該受け具（７）を棟方向に複数並列させてなる請求項１の棟瓦の固定構造。
【請求項３】
ねじ杆（１３）の先端と受け具カバー（１２）の上面側の何れか一方にボルト部（１３ａ）を設けるとともに、他方にナット部（２３）を設け、該ボルト部（１３ａ）とナット部（２３）をねじ接合することによりのし瓦（２）を締着固定する請求項１又は２の何れかに記載の棟瓦の固定構造。
【請求項４】
受け具（７）の断面を上部が開放されたチャネル状断面とし、受け具カバー（１２）の断面を下部が開放されたチャネル状断面として、受け具（７）と受け具カバー（１２）の両側壁（７ａ，１２ａ）が互いに重なり合うように受け具（７）と受け具カバー（１２）が筒状断面を形成して嵌合し合う構造とし、重なり合った両側壁（７ａ，１２ａ）を上下方向に係止又は固定する請求項１〜３のいずれかに記載の棟瓦の固定構造。
【請求項５】
筒状断面の両側壁（７ａ，１２ａ）の外側に面戸補強部材（１６）を設け、該面戸補強部材（１６）と両側壁（７ａ，１２ａ）を貫く釘（３２）又はビスによって面戸補強部材（１６）を両側壁（７ａ，１２ａ）に取付け固定するとともに、受け具（７）と受け具カバー（１２）とを一体固定する請求項４の棟瓦の固定構造。
【請求項６】
重ね合わされるのし瓦（２）同士の間に接着剤（２９）を塗布又は充填し、複数枚ののし瓦（２）を一体的に固定してなる請求項１〜５のいずれかに記載の棟瓦の固定構造。
【請求項７】
接着により重ね合わされるのし瓦（２）相互間の隙間及びねじ杆（１３）とねじ杆（１３）を挿通するのし瓦（２）側の挿通孔（１８）との間の隙間とをシールする請求項１〜６のいずれかに記載の棟瓦の固定構造。
【請求項８】
受け具カバー（１２）と棟芯材（１１）上面との間を接着剤（２２）により接着した請求項１〜７のいずれかに記載の棟瓦の固定構造。
【手続補正２】
【補正対象書類名】明細書
【補正対象項目名】０００５
【補正方法】変更
【補正の内容】
【０００５】
上記課題を解決するため本発明の棟瓦の固定構造は、第１に棟部１の中心上に棟方向に沿う受け具７を取付け、該受け具７内に棟芯材１１を収容して支持し、該棟芯材１１の上側に複数段ののし瓦２を重ねて載置するととともに、該複数段ののし瓦２を上下に貫くねじ杆１３によりのし瓦２を棟芯材１１側に締着固定する棟瓦の固定構造において、上記受け具７を上部が開放された耐久性を備えた材質で溝状断面とし、前記棟芯材１１の上面を覆う受け具カバー１２を、金属または硬質補強プラスチックによって構成し、該受け具カバー１２を、前記棟芯材１１に固定することにより、該受け具カバー１２を受け具７に対して固定し、前記ねじ杆１３の下端部を受け具カバー１２の上面に固定することにより、のし瓦２を受け具カバー１２に対して締着固定することを特徴とする。
【手続補正３】
【補正対象書類名】明細書
【補正対象項目名】０００６
【補正方法】変更
【補正の内容】
【０００６】
第２に、前記受け具７を、棟芯材１１の長手方向の一部が収容されるサイズに形成し、該受け具７を棟方向に複数並列させてなることを特徴とする。
【手続補正４】
【補正対象書類名】明細書
【補正対象項目名】０００７
【補正方法】変更
【補正の内容】
【０００７】
第３に、ねじ杆１３の先端と受け具カバー１２の上面側の何れか一方にボルト部１３ａを設けるとともに、他方にナット部２３を設け、該ボルト部１３ａとナット部２３をねじ接合することによりのし瓦２を締着固定することを特徴とする。
【手続補正５】
【補正対象書類名】明細書
【補正対象項目名】００２９
【補正方法】変更
【補正の内容】
【００２９】
上記受け具カバー１２は、下部が開放されて棟方向に延びるチャネル状部材であるとともに、金属または硬質補強プラスチック等によって構成され、所定以上の耐久性を有している。この受け具カバー１２と上記受け具７の両側壁１２ａ，７ａが互いに重なり合って相互に嵌合して高強度の筒状断面が形成される。